(57)【要約】      （修正有）【課題】ゴルフボールショット用ハイブリッドゴルフボール支持具を提供する。【解決手段】台座４、複数のゴルフティー５、及び被覆層６を備える。台座４には第一レール４０が設置され、異なるサイズの複数のゴルフティー５を設置させる以外、前記第一レール４０により誘導されて、選択された何れかのサイズのゴルフティー５がショット位置に移動されると共にその上にゴルフボールが置かれ、ゴルフボールを打たせる目的を達成させる。【選択図】図６
0003197287.tif 000002
【実用新案登録請求の範囲】
【請求項１】
第一レールを有する台座と、
前記台座の第一レールに内設される複数のゴルフティーと、
前記台座に設置されると共に第二レールを有し、前記第二レールは前記第一レールの上方に位置されて対応し、且つ前記複数のゴルフティーは共に前記第二レールを貫通し、前記複数のゴルフティーは共に前記第一レール及び前記第二レール内で活動する被覆層を備えることを特徴とする、
ゴルフボールショット用ハイブリッドゴルフボール支持具。
【請求項２】
台座の第一レールは複数の予備用レールと、ショット用レールと、穴部と、を備えることを特徴とする、請求項１記載のゴルフボールショット用ハイブリッドゴルフボール支持具。
【請求項３】
前記複数のゴルフティーは前記第一レールの予備用レールに位置され、選定されたゴルフティーが前記ショット用レールに移動されることを特徴とする、請求項２記載のゴルフボールショット用ハイブリッドゴルフボール支持具。
【請求項４】
前記ゴルフティーはくびれ部、ボール載せ面、及びベースを有することを特徴とする、請求項１記載のゴルフボールショット用ハイブリッドゴルフボール支持具。
【請求項５】
各ゴルフティーは異なる高さをそれぞれ有することを特徴とする、請求項１記載のゴルフボールショット用ハイブリッドゴルフボール支持具。
【考案の詳細な説明】
【技術分野】
【０００１】
本考案は、同時に複数の異なるサイズのゴルフティーを具備するショット用ゴルフボール支持具により、使用者が自分でサイズを選べるゴルフボールショット用ハイブリッドゴルフボール支持具に関する。
【背景技術】
【０００２】
ゴルフは現在世界的に流行している運動であり、ゴルフプレイヤーは異なる機能を持つ多くのクラブを持参するのみならず、最初のショットではゴルフティーを設置してゴルフボールを載せ、ゴルフティーの高さを調整してゴルフボールを打った際の飛距離を調整している。
図１及び図２は現在の一般的なよく使用されるゴルフティー１である。主にくびれ部１１の両端にティーグランド挿入部１２及びゴルフボール支持具１３がそれぞれ設置され、ティーグランド挿入部１２をティーインググラウンドに挿入させ、ゴルフボール２を前記ゴルフボール支持具１３に載せてショットする。
【考案の概要】
【考案が解決しようとする課題】
【０００３】
しかしながら、前述した従来のゴルフティー１のサイズはティーショットの飛距離に係るため、複数の異なるサイズのゴルフティー１を同時に携帯せねばならず、ティーショット時に毎回ティーインググラウンドに挿入させる必要があり、不便であった。また、ショットと同時にクラブがゴルフティー１に接触して飛ばされてしまい、ゴルフティー１を探して拾わねばならなかった。さらには、ゴルフティー１はティーグランド挿入部１２を有するため、ティーショットで飛ばされた場合に安全上の配慮が必要になるほか、収納も不便であった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものであり、その目的とするところは、ゴルフボールショット用ハイブリッドゴルフボール支持具を提供する。即ち、ゴルフティーが選定された後に、第一レールに誘導されてショット用レールに移動され、その上にゴルフボールが載せられてショットが行われる。
【課題を解決するための手段】
【０００６】
上述した課題を解決し、上記目的を達成するための本考案は、第一レールを有する台座と、台座の第一レールに内設される複数のゴルフティーと、台座に設置されると共に第二レールを有し、前記第二レールは前記第一レールの上方に位置されて対応し、且つ前記複数のゴルフティーは共に前記第二レールを貫通させ、また、前記複数のゴルフティーは共に前記第一レール及び前記第二レール内で活動する被覆層を備えることを特徴とするゴルフボールショット用ハイブリッドゴルフボール支持具。
【０００７】
請求項２に記載のゴルフボールショット用ハイブリッドゴルフボール支持具は請求項１において、台座の第一レールは複数の予備用レール、ショット用レール、及び穴部を備えることを特徴とする。
【０００８】
請求項３に記載のゴルフボールショット用ハイブリッドゴルフボール支持具は請求項２において、前記複数のゴルフティーは第一レールの予備用レールに位置され、選定されたゴルフティーがショット用レールに移動されることを特徴とする。
【０００９】
請求項４に記載のゴルフボールショット用ハイブリッドゴルフボール支持具は請求項１において、ゴルフティーはくびれ部、ボール載せ面、及びベースを有することを特徴とする。
【００１０】
請求項５に記載のゴルフボールショット用ハイブリッドゴルフボール支持具は請求項１において、各ゴルフティーは異なる高さをそれぞれ有することを特徴とする。
【考案の効果】
【００１１】
台座、複数のゴルフティー、及び被覆層で主に構成される。前記複数のゴルフティーは台座の予備用レールに位置され、ゴルフティーが選定された後に第一レールに誘導されてショット用レールに移動され、その上にゴルフボールが置かれてショットされる。また、本考案では、台座の第一レールの一側に穴部が更に設置され、ゴルフティーを台座から取り外すのに使用されるのみならず、違うサイズのゴルフティーを装設するのにも使用される。
【図面の簡単な説明】
【００１２】
【図１】従来の外観斜視図である。
【図２】従来の実施形態図である。
【図３】本考案の外観斜視図である。
【図４】本考案の展開図である。
【図５】本考案の部分の概略図である。
【図６】本考案に係るゴルフティーの移動の概略図である。
【図７】本考案の部分断面の概略図である。
【図８】本考案のゴルフティーからショット用レ−ルまでの概略図である。
【図９】本考案のゴルフティー及び台座の穴部の展開図である。
【図１０】本考案に係るゴルフティーの移動経路の概略図である。
【図１１】本考案に係るゴルフティー及び穴部を組合わせた断面の概略図である。
【考案を実施するための形態】
【００１３】
以下に図面を参照して、本考案を実施するための形態について、詳細に説明する。なお、本考案は、以下に説明する実施形態に限定されるものではない。
【００１４】
（第１実施形態）
以下、第１実施形を図３〜１１に基づいて説明する。図３から図１１に本考案の外観斜視図、展開図、部分の概略図及び好ましい実施形態図を示す。
図面から分かるように、ショット用ゴルフボール支持具３は、複数の予備用レール４０１、ショット用レール４０２、及び穴部４０３からなる第一レール４０を有する台座４と、台座４０の第一レールに内設され、くびれ部５１、ボール載せ面５２、及びベース５３を有すると共にそれらの高さがそれぞれ異なる複数のゴルフティー５と、第二レール６０を有すると共に台座４に設置され、且つ第二レール６０及び台座４の第一レール４０は互いに対応する位置に配置される被覆層６を備える。
【００１５】
前記複数のゴルフティー５は、使用前には第一レール４０の各予備用レール４０１内に位置され、使用者により必要なサイズ及び高さのゴルフティー５が選定された後、第一レール４０により誘導されてショット用レール４０２に移動され、ゴルフティー５のボール載せ面５２にゴルフボール７が載せられ、ゴルフボール７がショットされる。別のサイズのゴルフティー５が必要な場合、予備用レール４０１まで戻して、別のサイズのゴルフティー５をショット用レール４０２の位置まで移動させるのみでよい。
【００１６】
上述したように、台座４に設置される被覆層６は、第二レール６０が台座４の第一レール４０に対応する位置に配置される以外、第二レール６０の形式及び態様は第一レール４０と同じであり、第二レール６０のサイズ及び幅が第一レール４０よりやや小さく（図７参照）、且つ第二レール６０の幅はゴルフティー５のくびれ部５１の幅にほぼ等しく、第一レール４０の幅はゴルフティー５のベース５３の幅にほぼ均しい。これにより、ゴルフティー５のベース５３を台座４の第一レール４０内のみで移動するように制限させる。また、ゴルフティー５のベース５３が被覆層６に制限されるため、ゴルフボール７のショット後に、ゴルフティー５も一緒に飛ばされることがなくなる。
【００１７】
また、第一レール４０の一側には穴部４０３が更に設置され、前記複数のゴルフティー５の取り外しに利用されるほか、別のサイズ及び高さのゴルフティー５に交換する際に（図９乃至図１１参照）、前記穴部４０３により装設させ、装設されたゴルフティー５を予備用レール４０１内に移動させて設置させる。
【００１８】
結論として、従来は複数の異なるサイズのゴルフティーを携帯せねばならず、様々な不便があるという欠点が存在したが、本考案に係るショット用ゴルフボール支持具３は第一レール４０の設計により、同時に複数の異なるサイズのゴルフティー５を具備し、使用者がショットの飛距離を調整したい場合に、すぐに異なるサイズのゴルフティー５から選択して設置させることができる。
また、従来の技術のようにショット後にゴルフティー５が飛ばされてしまい、探して拾わねばならないという不便が無い。さらには、ショット用ゴルフボール支持具３には複数のゴルフティー５が同時に具備され、携帯性及び収納性の向上を達成させる。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１      ゴルフティー
１１    くびれ部
１２    ティーグランド挿入部
１３    ゴルフボール支持具
２      ゴルフボール
３      ショット用ゴルフボール支持具
４      台座
４０    第一レール
４０１  予備用レール
４０２  ショット用レール
４０３  穴部
５      ゴルフティー
５１    くびれ部
５２    ボール載せ面
５３    ベース
６      被覆層
６０    第二レール
７      ゴルフボール
【図１】
0003197287.tif 000003
【図２】
0003197287.tif 000004
【図３】
0003197287.tif 000005
【図４】
0003197287.tif 000006
【図５】
0003197287.tif 000007
【図６】
0003197287.tif 000008
【図７】
0003197287.tif 000009
【図８】
0003197287.tif 000010
【図９】
0003197287.tif 000011
【図１０】
0003197287.tif 000012
【図１１】
0003197287.tif 000013